(57)【要約】【課題】例えば液晶パネル等の電気光学パネルと、該電気光学パネルに光を照射するためのバックライトユニットとを備えた電気光学装置およびそれを用いた電子機器に他物が当って電気光学パネルが劣化・損傷したり、表示性能が低下する等の不具合が生じるのを未然に防止して耐久性および信頼性を向上させる。【解決手段】電気光学パネル２と、該電気光学パネルに対向して配置されるバックライトユニット３とを収容するフレーム４及び前記電気光学パネルの周辺領域を覆うカバー５とからなる実装ケースを備えた電気光学装置であって、前記フレーム４の外側の面が、前記カバーよりも外側に位置することを特徴とする。【選択図】  図２
2010117644.tif 000002
【特許請求の範囲】
【請求項１】
電気光学パネルと、該電気光学パネルに対向して配置されるバックライトユニットとを収容するフレーム及び前記電気光学パネルの周辺領域を覆うカバーからなる実装ケースを備えた電気光学装置であって、
前記フレームの外側の面が、前記カバーよりも外側に位置することを特徴とする電気光学装置。
【請求項２】
前記カバーは、前記フレームの側面に接する側面部を有し、該側面部には前記バックライトユニットに設けられた突起に係合する係合孔が設けられ、前記フレームの外側の面が、前記突起よりも外側に位置するように構成したことを特徴とする請求項１に記載の電気光学装置。
【請求項３】
前記カバーの側面部が接する前記フレームの側壁部に、前記カバーよりも外方に突出する張り出し部を前記フレームと一体に形成し、該張り出し部の外側の面が、前記電気光学パネル、前記バックライトユニットおよび前記カバーよりも外側に位置するように構成したことを特徴とする請求項２に記載の電気光学装置。
【請求項４】
前記カバーの側面部が接する前記フレームの側壁部と交差する方向の側壁部の外側の面が、前記電気光学パネルの一方の面から平面的に見て、前記電気光学パネル、前記バックライトユニットおよび前記カバーよりも外側に位置するように構成したことを特徴とする請求項２に記載の電気光学装置。
【請求項５】
前記カバーの側面部が接する前記フレームの側壁部と交差する方向の側壁部の外側の面が、前記電気光学パネルの一方の面の法線方向における断面において、前記電気光学パネル、前記バックライトユニットおよび前記カバーよりも外側に位置するように構成したことを特徴とする請求項２に記載の電気光学装置。
【請求項６】
前記フレームの全ての外側の面が、前記電気光学パネル、前記バックライトユニットおよび前記カバーよりも外側に位置するように構成したことを特徴とする請求項１に記載の電気光学装置。
【請求項７】
請求項１〜６のいずれかに記載の電気光学装置を有することを特徴とする電子機器。
【発明の詳細な説明】
【技術分野】
【０００１】
本発明は液晶装置等の電気光学装置および電子機器に関する。更に詳しくは、液晶パネル等の電気光学パネルと、その電気光学パネルに光を照射するためのバックライトユニットとを備えた電気光学装置およびそれを用いた電子機器に関するものである。
【背景技術】
【０００２】
従来、例えば液晶装置等の電気光学装置は、コンピュータや携帯電話その他各種電子機器における表示装置などとして用いられ、特に液晶装置は軽量・薄型で消費電力も少ないことから各種電子機器の表示装置として広く利用されている。
【０００３】
上記のような液晶装置等の電気光学装置は、一般に液晶パネル等の電気光学パネルの背面側に、照明用の光源と、その光源からの光を上記パネルに導くための導光板や光拡散板などを１のユニットとして構成したバックライトユニットを配置し、そのバックライトユニットによって上記電気光学パネルに背面側から光を照射して該パネルの正面側の画素領域に所望の画像等を表示するものである。
【０００４】
このようなバックライトユニットを備えた電気光学装置は、上記電気光学パネルとバックライトユニットとを実装ケース等に収容した状態で使用するのが一般的であり、その実装ケースとして、例えば下記特許文献１においては、方形枠状のフレーム（フレームケース）内に液晶パネルと、そのパネルに対向して配置されるバックライトユニットとを収容すると共に、そのフレーム内に収容した液晶パネルのバックライトユニットと反対側の面および上記フレームの側面の少なくとも一部を覆うシールドケース等のカバーを設けた構成が開示されている。
【０００５】
【特許文献１】特開２００５−７７５５７号公報
【発明の開示】
【発明が解決しようとする課題】
【０００６】
しかし、上記特許文献１のように、方形枠状のフレーム内に液晶パネルとバックライトユニットとを収容し、そのフレーム内に収容した液晶パネルのバックライトユニットと反対側の面および上記フレームの側面の少なくとも一部をシールドケース等のカバーで覆うようにした電気光学装置にあっては、該装置を持ち運んだり、各種電子機器に組み付ける場合、その他の種々の取扱時に上記液晶パネルやバックライトユニットおよびカバーに他物が当たると、その衝撃が直接もしくは間接的に液晶パネルにまで波及して劣化・損傷したり、表示性能が低下する等のおそれがある。
【０００７】
本発明は上記の問題点に鑑みて提案されたもので、液晶パネルやバックライトユニットおよびカバーに他物が当って液晶パネル等の電気光学パネルが劣化・損傷したり、表示性能が低下する等の不具合が生じるのを未然に防止して耐久性および信頼性の高い電気光学装置およびそれを用いた電子機器を提供することを目的とする。
【課題を解決するための手段】
【０００８】
上記の目的を達成するために、本発明による電気光学装置およびそれを用いた電子機器は、以下の構成としたものである。すなわち、本発明による電気光学装置は、電気光学パネルと、該電気光学パネルに対向して配置されるバックライトユニットとを収容するフレーム及び前記電気光学パネルの周辺領域を覆うカバーからなる実装ケースを備えた電気光学装置であって、前記フレームの外側の面が、前記カバーよりも外側に位置することを特徴とする。
【０００９】
上記のように、実装ケースを構成するフレームの外側の面が、カバーよりも外側に位置するように構成したことによって、上記電気光学装置を持ち運んだり、各種電子機器に組み付ける場合、その他種々の取扱時に、上記電気光学パネルやバックライトユニットおよびカバーに他物が当たるのを低減させることができる。その結果、電気光学パネルやバックライトユニットが衝撃を受けて劣化・損傷したり、表示性能が低下する等の不具合が生じるのを未然に防止することが可能となり、耐久性および信頼性の高い電気光学装置およびそれを用いた電子機器を提供することができるものである。
【００１０】
上記フレームとともに実装ケースを構成するカバーは、上記フレームの側面に接する側面部を有し、該側面部には上記バックライトユニットに設けられた突起に係合する係合孔が設けられた構成とすることができる。その場合、上記フレームの外側の面は、上記突起よりも外側に位置するように構成するのが望ましい。そのようにすると、上記突起に他物が当たるのが低減され、それによって上記突起およびフレームを介して電気光学パネルやバックライトユニットに衝撃が伝達されるのを防止することができる。
【００１１】
また上記カバーの側面部が接する上記フレームの側壁部に、上記カバーよりも外方に突出する張り出し部を上記フレームと一体に形成し、その張り出し部の外側の面が前記電気光学パネルとバックライトユニットおよびカバーよりも外側に位置するように構成してもよい。そのように構成した場合にも、上記と同様に電気光学装置の取扱時に、電気光学パネルやバックライトユニットおよびカバーに他物が当たるのを低減することが可能となる。
【００１２】
さらに上記カバーの側面部が接する上記フレームの側壁部と交差する方向の側壁部の外側の面が、前記電気光学パネルの一方の面から平面的に見て、電気光学パネルとバックライトユニットおよびカバーよりも外側に位置するように構成してもよい。そのように構成した場合にも、上記と同様に電気光学装置の取扱時に、電気光学パネルやバックライトユニットおよびカバーに他物が当たるのを低減することが可能となる。
【００１３】
また上記カバーの側面部が接する上記フレームの側壁部と交差する方向の側壁部の外側の面が、前記電気光学パネルの一方の面の法線方向における断面において電気光学パネルとバックライトユニットおよびカバーよりも外側に位置するように構成してもよい。そのように構成した場合にも、上記と同様に電気光学装置の取扱時に、電気光学パネルやバックライトユニットおよびカバーに他物が当たるのを低減することが可能となる。
【００１４】
さらに上記フレームの全ての外側の面が、電気光学パネルとバックライトユニットおよびカバーよりも外側に位置するように構成してもよい。そのように構成した場合にも、上記と同様に電気光学装置の取扱時に、電気光学パネルやバックライトユニットおよびカバーに他物が当たるのを更に確実に低減することが可能となる。
【００１５】
また本発明による電子機器は、上記のような電気光学装置を有することを特徴とする。上記のような電気光学装置を有することで、電子機器の構成が簡略化されると共に、部品点数および組立工数が削減され、容易・安価に製造することが可能となる。
【発明を実施するための最良の形態】
【００１６】
以下、本発明を液晶装置に適用した場合を例にして本発明による電気光学装置を、図に示す実施形態に基づいて具体的に説明する。図１（ａ）は本発明による電気光学装置としての液晶装置の一実施形態を示す平面図、同図（ｂ）はその側面図、図２、図３および図４は、それぞれ図１におけるＡ−Ａ、Ｂ−ＢおよびＣ−Ｃ断面図である。
【００１７】
本実施形態の電気光学装置としての液晶装置１は、図１〜図４に示すように電気光学パネルとしての液晶パネル２と、その液晶パネル２の背面側に配設されるバックライトユニット３とを、実装ケース内に収容するようにしたもので、その実装ケースは、本実施形態においては上記液晶パネル２とバックライトユニット３とを対向配置した状態で嵌合保持する保持部材であるフレーム４と、そのフレーム４に嵌合保持させた液晶パネル２の外面側（バックライトユニット３と反対側）を覆うようにして配設される保持部材であるカバー５とよりなる。なお、カバー５は遮光部材からなる。
【００１８】
上記フレーム４は、本実施形態においてはポリカーボネイト樹脂等の合成樹脂により図１〜図４に示すように全体的にやや扁平な直方体状で、周辺部に平面略方形枠状の側壁部４１〜４３を有し、その内方に、中央部に透光用の開口部４４ａを有する仕切板状の支持部４４を一体に設けた断面略Ｈ字形に形成され、そのＨ字形フレーム４の一方の凹部（図の場合は上記支持部４４よりも上側の凹部）４０ａ内に液晶パネル２を、他方の凹部（図の場合は上記支持部４４よりも下側の凹部）４０ｂ内にバックライトユニット３をそれぞれ嵌合保持させて収容するようにしたものである。
【００１９】
上記液晶パネル２およびバックライトユニット３は必要に応じて接着材や両面接着テープ等で上記フレーム４に固着してもよく、本実施形態においては液晶パネル２はフレーム４に接着材で固定されているが、図には省略した。また上記バックライトユニット３は、液晶パネル２に対して所定の領域以外に光が照射されるのを防ぐための遮光膜を兼ねる略方形枠状の両面接着テープ３１を介して上記フレーム４の支持部４４の一方の面（図の場合は下面）に固着した構成である。
【００２０】
カバー５は、本実施形態においてはステンレス等の金属板により上記フレーム４内に収容した液晶パネル２の一方の面（図の場合は上面）を覆う平面部５１と、その平面部５１の幅方向（図３および図４において左右方向）両端部に上記平面部５１と略直角に屈曲形成した対向面部５２・５２とからなる横断面コ字形（チャンネル型）に形成したもので、上記平面部５１で上記液晶パネル２の外面側を覆うと共に、上記対向面部５２・５２で、それぞれ上記フレーム４の互いに対向する側壁部４３・４３の外面の一部を覆う構成である。上記各対向面部５２・５２は、その内面側に位置する上記側壁部４３・４３の外面に接するようにして配置され、上記平面部５１における上記液晶パネル２の画像領域（表示領域）に対応する位置には、その部分を開口させて形成した表示窓５ａが設けられている。
【００２１】
また上記実施形態においては、図２および図４に示すように上記液晶パネル２とバックライトユニット３とをフレーム４に嵌合保持させた状態で上記液晶パネル２の外面側をカバー５で覆うと共に、そのカバー５とバックライトユニット３とを互いに連結して上記４つの部材２〜５を一体化するようにしたもので、そのカバー５とバックライトユニット３との連結手段として、図の場合は上記各対向面部５２・５２に係止孔５ｃを形成すると共に、その係止孔５ｃに係合する突起３ｃを上記バックライトユニット３の図４で左右両側の端部に、それと一体的に設けたものである。
【００２２】
さらに各側壁部４３・４３の外面側には、図１および図３に示すように上記対向面部５２よりも外側方に突出する張り出し部４３ａが上記各側壁部４３と一体に設けられ、その張り出し部４３ａとの干渉を避けるようにして上記各対向面部５２・５２には、それぞれ切り欠き凹部５２ａが形成されている。その両張り出し部４３ａ・４３ａの外面は、上記カバー５の外面よりも外側に突出し、そのカバー５よりも内側に上記液晶パネル２とバックライトユニット３とが配置されている。
【００２３】
また上記各対向面部５２・５２の切り欠き凹部５２ａの両側には、図１（ｂ）に示すように下向きの舌状部５２ｂ・５２ｂが一体に設けられ、その各舌状部５２ｂに上記の係止孔５ｃが設けられている。その係止孔５ｃが係合する上記の突起３ｃは、本実施形態においては上記各係止孔５ｃに対応してバックライトユニット３の図４で左右両側の端部に、それぞれ２つずつ設けられている。その突起３ｃおよび係止孔５ｃの配置位置や個数は適宜変更可能である。
【００２４】
図１および図４において、４ｃは上記各突起３ｃの近傍のフレーム４の側壁部４３・４３の外面にそれと一体に設けた案内突起で、その各案内突起４ｃのほぼ上半部には傾斜面４ｃ１が設けられ、上記各係止孔５ｃをバックライトユニット３の突起３ｃに係合させる際に、その各係止孔５ｃよりも下側の舌状部５２ｂを外側方に押し開きながら上記案内突起４ｃおよび突起３ｃを乗り越えさせることによって該突起３ｃに上記係止孔５ｃを係合させる構成である。
【００２５】
また上記フレーム４の互いに対向する側壁部４３・４３と交差する方向において互いに対向する側壁部、すなわち図１および図２において左右方向に対向する側壁部４１・４２には、その互いに対向する側と反対側の縁部外周にフランジ状の突出部４１ａ・４２ａが形成され、その両突出部４１ａ・４２ａ間に上記カバー５が配置されている。また上記各突出部４１ａ・４２ａは、図１（ｂ）および図２に示すように上記カバー５よりも外方（図で上方）に突出すると共に、バックライトユニット３よりも外方（図で下方）に突出するように形成されている。従って、上記フレーム４の外面、すなわち上記各突出部４１ａ・４２ａの先端部の外面は、カバー５とバックライトユニット３及びその両者間に配置されている液晶パネル２よりも外側に位置するように構成されている。
【００２６】
液晶パネル２の構成は適宜であるが、本実施形態は画素用のスイッチング素子として薄膜トランジスを用いたアクティブマトリックス型の液晶パネルを用いたもので、その具体的な構成を図５に基づいて説明する。図５（ａ）は上記液晶パネル２の平面図、同図（ｂ）は（ａ）におけるｂ−ｂ断面図である。
【００２７】
本実施形態の液晶パネル２は上記のように薄膜トランジスタを画素用のスイッチング素子として用いたもので、その薄膜トランジスタは、図５に示す石英やガラスもしくはシリコン等からなる素子基板（ＴＦＴアレイ基板）１０上に設けられ、その素子基板１０に対向してガラスや石英等からなる対向基板２０が設けられている。その素子基板１０と対向基板２０とは、画像領域（画像表示領域）２Ａの周囲に設けたシール材２４により相互に接着固定され、そのシール材２４の内側の素子基板１０と対向基板２０との間に液晶を注入した液晶層２５が設けられている。図５において、２４ａは上記シール材２４の一部を欠落させて形成した液晶注入口、２４ｂはその液晶注入口２４ａを塞ぐ封止材である。
【００２８】
上記シール材２４の外側の領域、すなわち上記画像領域２Ａの外側の周辺領域には、不図示のデータ線に画像信号を所定のタイミングで供給することにより該データ線を駆動するデータ線駆動回路１４および外部回路接続端子１５が素子基板１０の一辺に沿って設けられている。また不図示の走査線に走査信号を所定のタイミングで供給することにより該走査線を駆動する走査線駆動回路１６が、上記の一辺に隣接する二辺と平行に且つ上記シール材２４の内側に設けた遮光膜２６に対向する位置において上記素子基板１０上に設けられている。さらに素子基板１０の残る一辺には、上記二辺と平行に設けられた走査線駆動回路１６の上記外部回路接続端子１５側と反対側をつなぐための複数の配線１７が設けられている。
【００２９】
上記シール材２４の４つのコーナー部における素子基板１０上には上下導通端子１９が形成され、素子基板１０と対向基板２０相互間には、下端が上下導通端子１９に接触し、上端が対向電極２０に接触する上下導通材１８が設けられており、その上下導通材１８によって、素子基板１０と対向基板２０との間で電気的な導通がとられている。その素子基板１０と対向基板２０の外面側（液晶層２５と反対側）には、それぞれ偏光板１１，２１が配置固定されている。
【００３０】
上記素子基板１０の内面側（液晶層２５側）には画素を構成する画素電極１２等が設けられ、その内側には配向膜１３が設けられている。また上記対向基板２０上にはその略全面にわたって対向電極２２が設けられ、その内面側にも配向膜２３が設けられている。その各配向膜１３，２３は、例えば、ポリイミド膜等の透明な有機膜からなり、その表面にラビング処理等を施こすことによって上記液晶層２５内の液晶分子が、該液晶層２５に供給される電圧に応じて所定の方向に配向する構成である。
【００３１】
上記のように構成された液晶パネル２を、図１〜図３の実施形態のようにフレーム４とカバー５とからなる実装ケース内に組付けるに当たっては、例えば以下の要領で行えばよい。先ず、図５のように構成された液晶パネル２を、図２のように上下反転させて図６（ａ）に示すように断面略Ｈ字形のフレーム４の一方（図の場合は上側）の凹部４０ａ内に挿入して嵌合保持させる共に、上記フレーム４の他方（図の場合は下側）の凹部４０ｂ内にバックライトユニット３を挿入して嵌合保持させる。
【００３２】
次いで、図６（ｂ）のように上記フレーム４に嵌合保持させた液晶パネル２の外側（図の場合は上側）からカバー５を被せ、そのカバー５の対向面部５２・５２をフレーム４の側壁部４３・４３の外面に沿って下降移動させる。すると、上記各対向面部５２・５２に設けた係止孔５ｃよりも下側の舌状部５２ｂが、案内突起４ｃの傾斜面４ｃ１に沿って外側方に押し開かれながら該案内突起４ｃおよび突起３ｃを乗り越えることによって上記各係止孔５ｃに突起３ｃが係合する。それによって上記カバー５がバックライトユニット３に連結される共に、その上記カバー５とバックライトユニット３との間に液晶パネル２とフレーム４とが狭持された状態で上記４つの部材２〜５が一体的に連結保持されるものである。
【００３３】
なお、上記フレーム４に嵌合する際の液晶パネル２の向き及びフレーム４に対する嵌合構造等は適宜変更可能である。また図１〜図３の実施形態で用いたバックライトユニット３は、ＬＥＤ等の光源からの光を導光体や光拡散板等を介して上記液晶パネル２の背面側に照射する構成であり、それらの構成部材をケーシング等で覆ってユニット化したものである。そのバックライトユニット３の構成部材や内部構造等は適宜変更可能であり、図示例においては上記構成部材や内部構造等は省略して全体的な外観形状のみを表したものである。
【００３４】
図２および図３において、２９，３０は、それぞれ液晶パネル２およびバックライトユニット３と外部の電源や信号入力源とを電気的に接続するための導電接続部材を兼ねる可撓性プリント配線基板（ＦＰＣ）で、その各配線基板２９，３０は、上記液晶パネル２およびバックライトユニット３をフレーム４に嵌合保持させた状態において、図２に示すように上記フレーム４の前壁部４１に形成した切欠凹部４１ｂ，４１ｃ内に位置するように構成されている。
【００３５】
以上のように本発明による電気光学装置としての液晶装置１は、実装ケースを構成するフレーム４の外側の面が、電気光学パネルとしての液晶パネル２とバックライトユニット３およびカバー５よりも外側に位置するように構成したから、上記液晶装置を持ち運んだり、各種電子機器に組み付ける場合、その他種々の取扱時に、上記液晶パネル２やバックライトユニット３およびカバー５に他物が当たるのを低減させることができる。その結果、液晶パネル２やバックライトユニット３が劣化・損傷したり、表示性能が低下する等の不具合が生じるのを未然に防止することが可能となり、耐久性および信頼性の高い電気光学装置およびそれを用いた電子機器を提供することができるものである。
【００３６】
特に、上記実施形態においては、上記フレーム４とともに実装ケースを構成するカバー５はフレーム４の側面に接する側面部５２を有し、その側面部５２に上記バックライトユニット３に設けられた突起３ｃに係合する係合孔５ｃが設けられ、上記フレーム４の外側の面が、上記突起３ｃよりも外側に位置するようにしたものであり、このように構成するによって、上記液晶装置１の取扱時に、上記突起３ｃに他物が当たるのが低減され、それによって上記突起３ｃおよびフレーム４を介して液晶パネル２およびバックライトユニット３に衝撃が伝達されるのを防止することができる。その結果、上記液晶装置１の耐久性・信頼性を向上させることができる。
【００３７】
なお上記実施形態においては、図１および図４に示すように上記突起３ｃの近傍のフレーム４に案内突起４ｃが設けられ、その案内突起４ｃの図４で左右方向の高さは、図の実施形態においては、フランジ状の突出部４２ａ（４１ａ）の図４で左右方向の高さと同等に形成されているが、その案内突起４ｃはフレーム４に形成されているので、その案内突起４ｃに他物が当たってもカバー５や液晶パネル２に直接衝撃を与えるものではないが、場合によっては、上記案内突起４ｃの図４で左右方向の高さもフレーム４の外面すなわち上記突出部４２ａ（４１ａ）の外面よりも低く形成するようにしてもよい。その場合でも上記案内突起４ｃの図４で左右方向の高さは上記突起３ｃと同等またはそれよりも低く形成するのが望ましい。そのように構成すると、突起３ｃに係止孔５ｃを係合させる際に該係止孔５ｃよりも下側の舌状部５２ｂが突起３ｃの側面（図で上面）に当たったり、引っ掛かるのを防ぐことができる。
【００３８】
また上記実施形態においては、カバー５の側面部５２が接する上記フレーム４の側壁部４３・４３に、上記カバー５よりも外方に突出する張り出し部４３ａを上記フレーム４と一体に形成し、その張り出し部４３ａの外側の面が、液晶パネル２とバックライトユニット３およびカバー５よりも外側に位置するように構成したものであり、このように構成することによって、上記液晶装置の取扱時に、液晶パネル２やバックライトユニット３およびカバー５に他物が当たるのを低減することができる。
【００３９】
さらに上記実施形態においては、カバー５の側面部５２が接する上記フレーム４の側壁部４３・４３と交差する方向の側壁部４１・４２の外側の面が、図１（ａ）に示すように液晶パネル２の一方の面（図の場合は上面）から平面的に見て、液晶パネル２とバックライトユニット３およびカバー５よりも外側に位置するように構成したものであり、このように構成することによって、上記液晶装置１の取扱時に、平面方向（液晶パネル２の一方の面と平行な方向）において液晶パネル２やバックライトユニット３およびカバー５に他物が当たるのを低減することができる。
【００４０】
また上記実施形態においては、カバー５の側面部５２が接する上記フレーム４の側壁部４３・４３と交差する方向の側壁部４１・４２の外側の面が、図２および図３に示すように液晶パネル２の一方の面の法線方向における断面（液晶パネル２の上面または下面と交差する方向の断面）において上記液晶パネル２とバックライトユニット３およびカバー５よりも外側に位置するように構成したものであり、このように構成することによって、上記液晶装置１の取扱時に、上記断面方向において上記液晶パネル２やバックライトユニット３およびカバー５に他物が当たるのを低減することができる。
【００４１】
さらに上記実施形態は、上記フレーム４の全ての外側の面（図の場合は全体略直方体状のフレーム４の６つの面）が、液晶パネル２とバックライトユニット３およびカバー５よりも外側に位置するように構成したものであり、このように構成することによって、上記液晶装置１の取扱時に、上記フレーム４のいずれの面においても上記液晶パネル２とバックライトユニット３およびカバー５に他物が当たるのが低減され、上記液晶装置の耐久性および信頼性を大幅に向上させることができるものである。
【００４２】
なお、上記実施形態は一例であり、電気光学装置として液晶装置１の構成、電気光学パネルとしての液晶パネル２の構成、およびバックライトユニット３の構成、並びに実装ケースとしてのフレーム４およびカバー５の構成は本願発明の趣旨と矛盾しない範囲において適宜変更可能である。特に上記実施形態は、電気光学装置として液晶装置に適用し、電気光学パネルとしてアクティブマトリックス型の液晶パネルを用いた場合を例にして説明したが、パッシブマトリクス型の液晶パネルを用いてもよく、また液晶パネルに限らず、その他各種の電気光学パネルを用いて上記液晶装置と同様の構成の電気光学装置を得ることもできる。
【００４３】
さらに上記のように構成した電気光学装置を各種の電気機器の表示部や表示装置等として用いることができる。図７はその一例を示すもので、上記のように構成された電気光学装置としての液晶装置１を、電子機器７としてのデジタルカメラ７０におけるエレクトリカルビューファインダ（ＥＶＦ）として用いたものである。本発明によれば上記のような液晶装置１等の電気光学装置をデジタルカメラ７０等の電子機器７に装着する際もしくは装着した後にも液晶パネル２等の電気光学パネルとバックライトユニット３およびカバー５に他物が当たるのが低減され、電気光学装置の耐久性および信頼性を向上させることができるものである。図７において、７１は画像表示モニタ、７２はシャッタボタン、７３はダイヤルスイッチ、７４は電源ボタンである。
【００４４】
また本発明による電気光学装置は、上記のようなデジタルカメラに限らず、その他各種の電気機器にも適用可能であり、例えば携帯電話機やＰＤＡ（Personal Digital Assistants）と呼ばれる携帯型情報機器、携帯型パーソナルコンピュータ、パーソナルコンピュータ、ワークステーション、デジタルスチルカメラ、車載用モニタ、デジタルビデオカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話機、およびＰＯＳ端末機などの電子機器にも広く利用することができると共に、上記と同様の作用効果が得られる。
【図面の簡単な説明】
【００４５】
【図１】（ａ）は本発明による電気光学装置としての液晶装置の一実施形態を示す平面図、（ｂ）はその側面図。
【図２】図１におけるＡ−Ａ断面図。
【図３】図１におけるＢ−Ｂ断面図。
【図４】図１におけるＣ−Ｃ断面図。
【図５】（ａ）は電気光学パネルとしての液晶パネルの具体的な構成の一例を示す平面図、（ｂ）は（ａ）におけるｂ−ｂ断面図。
【図６】（ａ）および（ｂ）は電気光学パネルとしての液晶パネルとバックライトユニットとを実装ケース内に収容するプロセスの一例を示す説明図。
【図７】本発明による電気光学装置としての液晶装置を用いた電子機器としてのデジタルカメラの背面図。
【符号の説明】
【００４６】
１…液晶装置（電気光学装置）、２…液晶パネル（電気光学パネル）、１０…素子基板、２０…対向基板、１１、２１…偏光板、１２…画素電極、２２…対向電極、１３、２３…配向膜、２４…シール材、２５…液晶層、３…バックライトユニット、３ｃ…突起、３１…両面接着テープ、４…フレーム、４ａ…パネル側部分、４ｂ…バックライト側部分、４ｃ…突起、４０ａ，４０ｂ…凹部、４１…側壁部（前壁部）、４２…側壁部（後壁部）、４１ａ、４２ａ…突出部、４３…側壁部、４３ａ…張り出し部、４４…支持部、４４ａ…開口部、５…カバー(遮光部材)、５ａ…表示窓、５ｃ…係止孔、５１…平面部、５２…対向面部、７…電子機器、７０…デジタルカメラ。
【図１】
2010117644.tif 000003
【図２】
2010117644.tif 000004
【図３】
2010117644.tif 000005
【図４】
2010117644.tif 000006
【図５】
2010117644.tif 000007
【図６】
2010117644.tif 000008
【図７】
2010117644.tif 000009